(57)【要約】  本発明は第１の三重同軸ケーブル（１）によって搬送される電気信号を第２の三重同軸ケーブル（１８）に運ぶ装置に関する。装置は：第１の三重同軸ケーブル（１）と光ファイバー・ケーブル（９）の間の第１のインタフェース（１５）及び光ファイバー・ケーブル（９）と第２の三重同軸ケーブル（１８）の間の第２のインタフェース（１６）を含む。テレビジョン・カメラ（１７）がこの装置を介して遠隔のカメラ制御ユニット（１４）に結合される。第１の三重同軸ケーブル（１）はCCU（１４）をインタフェース（１５）と結合する。インタフェース（１５）は三重同軸ケーブル（１）によって運ばれた電気信号を光信号に変換するアダプタを含む。光ファイバー・ケーブル（９）は光信号を第２のインタフェース（１６）に伝送する。インタフェース（１６）は光信号を電気信号に変換するアダプタを含む。第２の三重同軸ケーブル（１８）は電気信号をテレビジョン・カメラ（１７）に伝送する。鏡像のアダプタがカメラ（１７）からCCU（１４）へ電気信号を伝送することを可能にする。
2009506610.tif 000002
【特許請求の範囲】
【請求項１】
第１の三重同軸ケーブル（１）によって搬送される第１の複数の電気信号を第２の三重同軸ケーブル（１８）に運ぶための装置であって：該第１の三重同軸ケーブル（１）と第１の光ファイバー・ケーブル（９）の間の第１のアダプタ及び該第１の光ファイバー・ケーブル（９）と該第２の三重同軸ケーブル（１８）の間の第２のアダプタを含み、該第１のアダプタが：
各々が該電気信号のフィルタされたバージョンを生成するように設計された複数の低域通過アンチエイリアス・フィルタ（４）、
各々が該低域通過アンチエイリアス・フィルタ（５）の一つに結合され、該電気信号の該フィルタされたバージョンのそれぞれのディジタル表現を生成するように設計された複数のアナログからディジタルへのコンバータ回路（５）、
該複数のアナログからディジタルへのコンバータ回路（５）のそれぞれに結合され、各々が該電気信号の該ディジタル表現の部分集合を表す複数のディジタル信号を生成する第１のディジタル符号化回路（６）、
各々が該ディジタル符号化回路（６）からのディジタル電気出力の一つをディジタル光信号に変換するように設計された複数の第１の光トランスジューサ（７）、
を含み、該第１の光ファイバー・ケーブル（９）が該第１の光トランスジューサ（７）に結合され、少なくとも一つの光ファイバーを含み、かつ該第２のアダプタが：
該第１の光ファイバー・ケーブル（９）に結合され、各々が該第１の光トランスジューサ（７）によって生成され該第１の光ファイバー・ケーブル（９）によって伝送された該ディジタル光信号の一つをディジタル電気信号に変換するように設計された複数の第２の光トランスジューサ（１９）、
各々が該第２の光トランスジューサ（１９）の一つから送給され、該電気信号の該フィルタされたバージョンの一つのディジタル表現を再現する複数のディジタル復号化回路（１０）、
各々が該ディジタル復号化回路（１０）の一つと結合され、各々該電気信号のフィルタされたバージョンを再現するように設計された複数のディジタルからアナログへのコンバータ回路（１２）、
該再現された該電気信号のフィルタされたバージョンを合体させて該第１の三重同軸ケーブル（１）によって搬送される該電気信号を再現する加算回路（１３）、
を含むことを特徴とする装置。
【請求項２】
該第２のアダプタはさらに、各々が該ディジタル復号化回路（１０）の一つと該ディジタルからアナログへのコンバータ（１２）の一つの間に結合され、各々が該電気信号のフィルタされたバージョンのディジタル表現の一つの帯域幅をさらに縮めるように動作する複数のディジタル・フィルタ（１１）を含むことを特徴とする請求項１に記載の装置。
【請求項３】
該第１のアダプタはさらに、各々が該アナログからディジタルへのコンバータ（５）の一つと該ディジタル符号化回路（６）の間に結合され、各々が該電気信号のフィルタされたバージョンのディジタル表現の一つの帯域幅をさらに縮めるように動作する複数のディジタル・フィルタを含むことを特徴とする請求項１又は２に記載の装置。
【請求項４】
周波数範囲において隣接する前記複数のディジタル・フィルタに相補的な遷移帯域が設けられ、全体の応答が一定で連続していることを特徴とする請求項２又は３に記載の装置。
【請求項５】
該ディジタル復号化回路（１０）に結合された一つ以上のディジタルからアナログへのコンバータ（１２）の出力が該第１の三重同軸ケーブルで搬送される電気信号の２つ以上を表すことを特徴とする請求項１乃至４のいずれか１項に記載の装置。
【請求項６】
該ディジタル復号化回路（１０）に結合された一つ以上のディジタルからアナログへのコンバータ（１２）の出力が該第１の三重同軸ケーブルで搬送される電気信号の一つを表していることを特徴とする請求項１乃至４のいずれか１項に記載の装置。
【請求項７】
該ディジタル・フィルタは、該第１の三重同軸ケーブル（１）で搬送される電気信号が、ある連続した周波数範囲内にある限りその周波数に関わりなく該加算回路（１３）によって再現されるように設計されることを特徴とする請求項２及び３のいずれか１項又は４項又は５項又は６項に記載の装置。
【請求項８】
該ディジタル・フィルタが相補的となるように設計され、該フィルタの応答の和が動作周波数範囲にわたって一定になることを特徴とする請求項７に記載の装置。
【請求項９】
該装置が、一つ以上の該アナログからディジタルへのコンバータの振幅を調整してアンチエイリアス・フィルタ、アナログからディジタルへのコンバータ、又は駆動回路、増幅器、およびバッファーを含む関連回路、の利得のアンバランスを補償する自動校正回路を含むことを特徴とする請求項１乃至８のいずれか１項に記載の装置。
【請求項１０】
該第１のアダプタが、該第１の光トランスジューサからの光信号を加算して光信号を単一光ファイバーで運ぶことができるようにする光結合器を含むことを特徴とする請求項１乃至９のいずれか１項に記載の装置。
【請求項１１】
該第２のアダプタは、該光ファイバーに結合され、合体された光信号を分割して該第２の光トランスジューサの各々に結合する波長分割多重化器（８）を含むことを特徴とする請求項１０に記載の装置。
【請求項１２】
該第２の三重同軸ケーブル（９）によって搬送される第２の複数の電気信号を該第１の三重同軸ケーブル（１）に運ぶように設計されて、該第２の三重同軸ケーブルと第２の光ファイバー・ケーブルの間の第３のアダプタ及び該第２の光ファイバー・ケーブルと該第１の三重同軸ケーブルの間の第４のアダプタを含み、該第３のアダプタは請求項１，３，６，７，８，及び９のいずれか１項に記載の第１のアダプタのように設計され、該第４のアダプタは請求項１，２，４，５，６，７，及び１０のいずれか１項に記載の第２のアダプタのように設計され、該第一と第３のアダプタ及び該第二と第４のアダプタは同一の設計でなくてもよいことを特徴とする請求項１乃至１１のいずれか１項に記載の装置。
【請求項１３】
該第一と第３のアダプタのフィルタの周波数応答及びアナログからディジタルへのコンバータのサンプル・レートが異なり、該第二と第４のアダプタのフィルタの周波数応答及びディジタルからアナログへのコンバータのサンプル・レートが異なることを特徴とする請求項１２に記載の装置。
【請求項１４】
該第一と第４のアダプタ及び該第二と第３のアダプタが、それぞれ、該三重同軸ケーブル（１，１８）と光ファイバー・ケーブル（９）に結合された入力端と出力端が設けられた二つの異なるハウジング（１５，１６）に収められていることを特徴とする請求項１２又は１３に記載の装置。
【請求項１５】
該第一と第４のアダプタがカメラ制御ユニット（CCU）（１４）からの、及び、それへの電気信号を搬送する三重同軸ケーブル（１）に結合され、他方、該第二と第３のアダプタがテレビジョン・カメラ（１７）への、及び、それからの電気信号を搬送する三重同軸ケーブル（１８）に結合されていることを特徴とする請求項１２乃至１４のいずれか１項に記載の装置。
【請求項１６】
該光ファイバー・ケーブルが複数の光ファイバーと銅導体を含むハイブリッド・ケーブルであり、該第１のアダプタに該第１の三重同軸ケーブルによって送給されるパワー・ダイプレクサが設けられ、該ハイブリッド・ケーブルの先端及び／又は該第２の三重同軸ケーブルの先端に配置されたパワー供給デバイスへの銅導体にDC又はACパワーが流れることを可能にするように設計されることを特徴とする請求項１２乃至１５のいずれか１項に記載の装置。
【請求項１７】
該第一と第４のアダプタ及び該第二と第３のアダプタが、それぞれ、波長分割マルチプレクサ又は方向性結合器によって単一光ファイバーの端に結合されることを特徴とする請求項１２乃至１５のいずれか１項に記載の装置。
【発明の詳細な説明】
【技術分野】
【０００１】
本発明は、第１の三重同軸ケーブルによって搬送される第１の複数の電気信号を第２の三重同軸ケーブルに運ぶ装置であって、第１の三重同軸ケーブルと第１の光ファイバー・ケーブルとの間の第１のアダプタ及び第１の光ファイバー・ケーブルと第２の三重同軸ケーブルとの間の第２のアダプタを含む装置に関する。本発明は、また、第２の三重同軸ケーブルから第１の三重同軸ケーブルへ電気信号を運ぶ装置に関する。
【背景技術】
【０００２】
このような装置は、テレビジョン・カメラへ、及び、テレビジョン・カメラからビデオ、オーディオ、及び制御データを運ぶために用いられる。多くのテレビジョン録画の状況で、カメラはカメラ制御ユニット及び記録デバイスから遠隔にある。カメラはスタジオのフロアにあって、制御ユニットと記録デバイス又は映像ミキシング装置は別の部屋にあることもある。屋外での放送では、制御ユニットはしばしばシーンが演じられている場所から離れたバンの中にある。例えばレース・トラックでのスポーツ・イベントの場合、カメラは放送室又は屋外放送車からかなりの距離離れていることが必要である。ビデオ、オーディオ、インターコム、制御及びその他のデータがカメラへ、及びカメラから送られる。例えば、番組ビデオがカメラから送られる一方、ビューファインダー・ビデオが送り返される。
【０００３】
多くのメーカーは、三重同軸ケーブルで結合されるカメラと制御ユニットを作っている。これらは、ケーブルの長さが増すと信号の劣化が増大するという問題がある。もっと長い範囲をカバーできる光ファイバー・リンクによって作られているものもある。
【０００４】
従来技術は、三重同軸ケーブルでの電気信号を光信号に変換して光ファイバー・ケーブルで伝送する装置を開示している。第２の装置がこの光信号を電気信号に変換して別の三重同軸ケーブルで伝送する。
【０００５】
従来技術では、個別アナログ信号は、例えばコンバータにおける帯域通過フィルタによって判別され、コンバータ回路の相当部分を特定のモデルのカメラ制御ユニットに合わせて設計する必要がある。光信号はアナログ変調によって生成され、それが信号を劣化させる。光ケーブルは帯域幅が大きく低損失であるにもかかわらず、劣化はファイバーの長さと共に増大する。
【０００６】
US 4,019,048は、光ファイバー設備の伝送特性を改善することを可能にする装置、すなわちディジタル信号をより大きな長さの光ファイバー・ケーブルにわたって送ることを可能にする装置を開示している。このUS 4,019,048に記載されている装置は、既にディジタル光信号の形になっている信号を受信する。それは、信号が数十キロメートルのファイバーによって劣化した後でもそれを再生させて複数の光ファイバー・ケーブルで再び伝送できるようにする。これは、数百キロメートルというきわめて長い距離が必要になる海底ケーブルにしばしば用いられる。US 4,019,048に記載されている装置は、電気信号が光学信号を再生させるプロセスの中間ディジタル信号である場合を除き、電気信号をディジタル光信号に変換しない。ある特定の状況で、US 4,019,048に開示された装置が搬送している信号が複数の電気信号である場合、それらの信号はどの点でも再構成されず、常にディジタル形態で表される。
【０００７】
EP 1 512 235は、電気信号を光パルスとして大気を通して伝送する装置を開示している。EP 1 512 235に開示されたこの装置の利点は、人工及び／又は天然の光の妨害に影響されないことであるが、本出願で開示されるこの発明は、このような妨害が問題にならない光ファイバー・リンクでのみ使用することを意図している。
【発明の開示】
【０００８】
本発明は、従来技術による装置を改良することを提案する。
【０００９】
本発明による装置は請求項１で規定される。
【００１０】
本発明による装置の利点は以下のようなことである：
【００１１】
信号がいったんディジタルに変換されると、その信号が再びアナログに変換されるまではその後もはや顕著な劣化は生じない。長い光ケーブルが用いられる場合、最大使用範囲を超えない限り、信号の質は劣化しない。ディジタル信号は、温度のドリフトやディジタル・コンポーネントの老化による劣化をこうむらない。
【００１２】
本発明のある実施形態によれば、第２のアダプタはさらに、各々ディジタル復号化回路の一つとディジタルからアナログへのコンバータの一つの間に結合され、各々電気信号のフィルタされたバージョンのディジタル表現の一つの帯域幅をさらに縮めるように動作する複数のディジタル・フィルタを含む。
【００１３】
本発明の別の実施形態によれば、第１のアダプタはさらに、各々アナログからディジタルへのコンバータの一つとディジタル符号化回路の一つとの間に結合され、各々電気信号のフィルタされたバージョンのディジタル表現の一つの帯域幅をさらに縮めるように動作する複数のディジタル・フィルタを含む。
【００１４】
ディジタル・フィルタの利点は当業者には周知であり、ディジタル・フィルタは同じような性能のアナログ・フィルタに比べて再現性が高く低コストである。それらはパルス歪みが非常に小さい直線位相になるように設計できる。ディジタル・フィルタは温度ドリフトが問題にならない。
【００１５】
本発明の別の実施形態によれば、ディジタル復号化回路に結合された一つ以上のディジタルからアナログへのコンバータの出力が第１の三重同軸ケーブルで搬送される一つより多くの電気信号になる。
【００１６】
電気信号のそれぞれを分離又は復調する必要をなくすことにより、回路をそれが用いられるカメラ制御ユニットのそれぞれに合わせてカスタマイズする必要が減少する。
【００１７】
本発明の別の実施形態によれば、ディジタル復号化回路に結合された一つ以上のディジタルからアナログへのコンバータの出力が第１の三重同軸ケーブルで搬送される一つの電気信号になる。
【００１８】
本発明の別の実施形態によれば、周波数範囲において接するディジタル・フィルタに相補的な遷移帯域が設けられ、全体の応答が一定で連続となる。このことは、三重同軸ケーブルで用いられる搬送周波数が一つのディジタル・フィルタの通過帯域の中にきれいに収まる必要がないということを意味する。これはさらに、ある与えられたカメラと制御ユニット（CCU）に合わせて回路を設計する必要を減ずる。
【００１９】
本発明の別の実施形態によれば、ディジタル・フィルタは、第１の三重同軸ケーブルで搬送される信号がある連続した周波数範囲にある限り、その周波数に関わりなく加算回路によって再現されるように設計される。
【００２０】
これにより、三重同軸ケーブルで搬送される、アダプタの動作周波数範囲内にあるどんな信号も運ぶことが可能になり、カメラ制御ユニットに合わせて信号処理をカスタマイズする必要がなくなる。
【００２１】
本発明の別の実施形態によれば、複数のディジタル・フィルタは相補的となるように設計され、それらのフィルタの周波数応答の和が動作周波数範囲にわたって一定となる。
【００２２】
このように相補的な周波数応答を有する複数のディジタル・フィルタを用いると、いろいろな周波数応答が重なるところで周波数応答のリップルが減少する。
【００２３】
本発明の別の実施形態によれば、装置は、一つ以上のアナログからディジタルへのコンバータの振幅を調整して、アンチ−エイリアス・フィルタ、アナログからディジタルへのコンバータ、又はドライバー、増幅器、及びバッファーを含む関連回路の利得のアンバランスを補償するように設計された自動校正回路を含む。
【００２４】
これにより、製造時及びその後の温度と老化によるドリフトの際の手動による調整の必要が減ずる。
【００２５】
本発明の別の実施形態によれば、第２のアダプタは、光ファイバーに結合され、光信号全体を分割して第２の光トランスジューサの各々に結合する波長分割多重化器を含む。
【００２６】
波長分割多重化はより少数の光ファイバーを用いて信号を運ぶことを可能にする。
【００２７】
本発明の別の実施形態によれば、第２の三重同軸ケーブルによって搬送される第２の複数の電気信号を第１の三重同軸ケーブルに運ぶ装置が設計され、この装置は、第２の三重同軸ケーブルと第２の光ファイバー・ケーブルの間の第３のアダプタと第２の光ファイバー・ケーブルと第１の三重同軸ケーブルの間の第４のアダプタを含み、第３のアダプタは請求項１，３，６，７，８，及び９のいずれか１項に記載の第１のアダプタのように設計され、第４のアダプタは請求項１，２，４，６，７，及び１０のいずれか１項に記載の第２のアダプタのように設計され、第１のアダプタと第３のアダプタ及び第２のアダプタと第４のアダプタは同一の設計でなくてもよい。
【００２８】
上記の装置は、三重同軸ケーブルの端に結合されたデバイスの間の二方向通信を可能にする。例えば、信号として、デバイス間で交換される信号は同一でなくてもよく、フィルタの周波数応答及びアナログからディジタルへのコンバータのサンプル・レートは第三と第１のアダプタで異なってもよく、フィルタの周波数応答及びアナログからディジタルへのコンバータのサンプル・レートは第二と第４のアダプタで異なってもよい。二方向装置では、第一と第３のアダプタ、及び第二と第４のアダプタは同一設計でなくてもよい。
【００２９】
本発明の別の実施形態によれば、第一及び第４のアダプタはカメラ制御ユニット（CCU）からの及びカメラ制御ユニットへの電気信号を搬送する三重同軸ケーブルに結合され、他方第二及び第３のアダプタはテレビジョン・カメラへの及びテレビジョン・カメラからの電気信号を搬送する三重同軸ケーブルに結合される。
【００３０】
本発明の別の実施形態によれば、光ファイバー・ケーブルは二つの光ファイバーと銅導体から成るハイブリッド・ケーブルであり、第１のアダプタには第１の三重同軸ケーブルから送給され、DC又はACパワーが銅導体に流れてハイブリッド・ケーブルの先端にあるデバイス及び／又は第２の三重同軸ケーブルの先端のデバイスにパワーを供給することを可能にするように設計されたパワー・ダイプレクサが設けられている。
【００３１】
上記の装置は、バッテリーやその他の電源を設ける必要がないので、特にカメラ及びカメラに近いアダプタとして軽量のデバイスを実現することを可能にする。
【００３２】
本発明の前述の及びその他の特徴及び利点は、添付図面に示されているような本発明の好ましい実施形態についての以下の詳細な説明から明らかになる。
図１の概略図において、テレビジョン・カメラ１７は遠隔のカメラ制御ユニット（CCU）１４と本発明に係わる装置を介して結合されている。第１の三重同軸ケーブル１はCCU１４をインタフェース１５と結合する。インタフェース１５は、三重同軸ケーブル１によって運ばれる電気信号を光信号に変換する第１のアダプタを含む。光ファイバー・ケーブル９は光信号を第２のインタフェース１６に伝送する。インタフェース１６は光信号を電気信号に変換する第２のアダプタを含む。第２の三重同軸ケーブル１８はこの電気信号をテレビジョン・カメラ１７に伝送する。カメラ１７からの電気信号は第２の三重同軸ケーブル１８によってインタフェース１６へ伝送される。インタフェース１６は電気信号を光信号に変換する第３のアダプタを含む。第３のアダプタはインタフェース１５にある第１のアダプタの鏡像である。第３のアダプタからの光信号は光ファイバー・ケーブル９によってインタフェース１５へ伝送される。インタフェース１５は受信した光信号を電気信号に変換する第４のアダプタを含み、その電気信号が第１の三重同軸ケーブル１によってCCU１４へ運ばれる。第４のアダプタはインタフェース１６にある第２のアダプタの鏡像である。前述したように、第一と第３のアダプタ、及び第二と第４のアダプタは異なる設計であってもよいが、請求項の一つに従うものである。
図２に示されている第一及び第４のアダプタを含むインタフェース１５について以下で説明する。
図２に示されている本発明の好ましい実施形態では、三重同軸ケーブル１がパワー・ダイプレクサ２に結合されている。パワー・ダイプレクサ２は、オプションとして、第１の三重同軸ケーブル１によって搬送される高い周波数の電気信号が方向性スプリッタ／コンバイナー（splitter/combiner）３に供給される一方でDC又はACパワーがハイブリッド光ファイバー・ケーブル９における導体に流れることを可能にする。
【００３３】
低域通過フィルタ４，アナログからディジタルへのコンバータ５，ディジタル処理ブロック６，光トランスジューサ（TX）７，を含むインタフェース５の上方部分が第１のアダプタである。加算デバイス１３，ディジタルからアナログへのコンバータ（DAC）１２，ディジタル・フィルタ１１，ディジタル処理ブロック１０，受信光トランスジューサ（RX）１９，を含む下方部分が第４のアダプタである。
【００３４】
方向性スプリッタ／コンバイナー（splitter/combiner）３は、第１の三重同軸ケーブル１から電気信号を低域通過フィルタ４に送給するが、ディジタルからアナログへのコンバータ（DAC）１２からの信号が低域通過フィルタ４に達することを許さない。低域通過フィルタ４はアナログからディジタルへの変換プロセスにおけるエイリアシングを阻止する。第１の三重同軸ケーブル１からの電気信号のディジタル表現がディジタル処理ブロック６に送給される。好ましい実施形態では、このブロックはプログラミング可能な論理デバイスで実施される。個々のストリームが多重化され、冗長コードが付加された後にシリアル・ストリームに変換されて光トランスジューサ（TX）７に送給される。光トランスジューサ７は、シリアル・ディジタル信号を光信号に変換する。
【００３５】
別の好ましい実施形態では、十分な帯域幅の単一の光トランスジューサが用いられる。この好ましい実施形態では、トランスジューサ７の光出力が、異なる波長トランスジューサからの光出力を加算する光多重化／多重分離デバイス８で合体される。光多重化／多重分離デバイス８は、また、光ファイバー・ケーブル９からの光信号を受信してそれを分離する。光多重化／多重分離デバイス８のある好ましい実施形態は方向性結合器と波長弁別器を備える。
【００３６】
多重分離された光ファイバー・ケーブル９からの光信号は受信光トランスジューサ１９に送給されてシリアル・ディジタル信号が再現される。好ましい実施形態では、これらがディジタル処理ブロック１０に送給され、そこでデータは直−並列変換され、復号化され、多重分離される。好ましい実施形態では、多重分離されたデータが、ADCs ５とDACs １２の動作周波数範囲を規定するディジタル・フィルタ１１に送給される。別の好ましい実施形態による設計では、二つ以上のディジタル・フィルタ１１が用いられ、それらの周波数応答の和は装置の動作周波数範囲にわたって一定になる。
【００３７】
本発明の別の好ましい実施形態は、光トランスジューサ７と１９の各々に対して一つ以上の光ファイバーを用いる。
【００３８】
本発明のある好ましい実施形態では、ディジタルからアナログへのコンバータ１２はそれぞれディジタル・コンバータと再構成フィルタを含む。
【００３９】
再構成されたアナログ信号は、加算され１３，方向性コンバイナー／スプリッタ３に送給される。これは加算された電気信号を第１の三重同軸ケーブル１に送給するが、アンチエイリアス・フィルタ４には送給しない。
【００４０】
好ましい実施形態（図１）では、図２に示されたタイプの、上で実施形態を説明したインタフェース１５が第１の三重同軸ケーブル１によってカメラ制御ユニット１４に結合される。インタフェース１４からの１つの光ファイバー・ケーブル９は第２の三重同軸ケーブル１８によってカメラ１７に結合された別の同様のインタフェース１６に送給される。
【００４１】
カメラ制御ユニット１４がパワーを供給する場合、それは第１の三重同軸ケーブル１を介し、制御ユニット１４に近いインタフェース１５におけるパワー・ダイプレクサ２を介し、ハイブリッド光ファイバー・ケーブル９の導体を介しカメラ１７に近いインタフェース１６におけるパワー・ダイプレクサ２を介し、第２の三重同軸ケーブル１８を介してカメラ１７に送給される。この場合、インタフェース１６とカメラ１７の電源は必要ない。CCUとカメラの間の距離に応じて、銅ケーブルの抵抗によるパワーの低下を避けるために、インタフェース１６とカメラには通常のバッテリー・パック又は同様のものでパワーを供給することもできる。
【図面の簡単な説明】
【００４２】
【図１】図１は、テレビジョン・カメラと共に使用される本発明の好ましい実施形態を示す概略図である。
【図２】図２は、図１のカメラ制御ユニット（CCU）に近い第一及び第４のアダプタを示す。
【図１】
2009506610.tif 000003
【図２】
2009506610.tif 000004
【手続補正書】
【提出日】平成20年3月4日(2008.3.4)
【手続補正１】
【補正対象書類名】特許請求の範囲
【補正対象項目名】全文
【補正方法】変更
【補正の内容】
【特許請求の範囲】
【請求項１】
第１の三重同軸ケーブル（１）によって搬送される第１の複数の電気信号を第２の三重同軸ケーブル（１８）に運ぶための装置であって：該第１の三重同軸ケーブル（１）と第１の光ファイバー・ケーブル（９）の間の第１のアダプタ及び該第１の光ファイバー・ケーブル（９）と該第２の三重同軸ケーブル（１８）の間の第２のアダプタを含み、該第１のアダプタが：
各々が該電気信号のフィルタされたバージョンを生成するように設計された複数の低域通過アンチエイリアス・フィルタ（４）、
各々が該低域通過アンチエイリアス・フィルタ（５）の一つに結合され、該電気信号の該フィルタされたバージョンのそれぞれのディジタル表現を生成するように設計された複数のアナログからディジタルへのコンバータ回路（５）、
該複数のアナログからディジタルへのコンバータ回路（５）のそれぞれに結合され、各々が該電気信号の該ディジタル表現の部分集合を表す複数のディジタル信号を生成する第１のディジタル符号化回路（６）、
各々が該ディジタル符号化回路（６）からのディジタル電気出力の一つをディジタル光信号に変換するように設計された複数の第１の光トランスジューサ（７）、
を含み、該第１の光ファイバー・ケーブル（９）が該第１の光トランスジューサ（７）に結合され、少なくとも一つの光ファイバーを含み、かつ該第２のアダプタが：
該第１の光ファイバー・ケーブル（９）に結合され、各々が該第１の光トランスジューサ（７）によって生成され該第１の光ファイバー・ケーブル（９）によって伝送された該ディジタル光信号の一つをディジタル電気信号に変換するように設計された複数の第２の光トランスジューサ（１９）、
各々が該第２の光トランスジューサ（１９）の一つから送給され、該電気信号の該フィルタされたバージョンの一つのディジタル表現を再現する複数のディジタル復号化回路（１０）、
各々が該ディジタル復号化回路（１０）の一つと結合され、各々該電気信号のフィルタされたバージョンを再現するように設計された複数のディジタルからアナログへのコンバータ回路（１２）、
該再現された該電気信号のフィルタされたバージョンを合体させて該第１の三重同軸ケーブル（１）によって搬送される該電気信号を再現する加算回路（１３）、
を含み、
該ディジタル復号化回路（１０）に結合された一つ以上のディジタルからアナログへのコンバータ（１２）の出力が該第１の三重同軸ケーブルで搬送される電気信号の２つ以上を表すことを特徴とする装置。
【請求項２】
該第２のアダプタはさらに、各々が該ディジタル復号化回路（１０）の一つと該ディジタルからアナログへのコンバータ（１２）の一つの間に結合され、各々が該電気信号のフィルタされたバージョンのディジタル表現の一つの帯域幅をさらに縮めるように動作する複数のディジタル・フィルタ（１１）を含むことを特徴とする請求項１に記載の装置。
【請求項３】
該第１のアダプタはさらに、各々が該アナログからディジタルへのコンバータ（５）の一つと該ディジタル符号化回路（６）の間に結合され、各々が該電気信号のフィルタされたバージョンのディジタル表現の一つの帯域幅をさらに縮めるように動作する複数のディジタル・フィルタを含むことを特徴とする請求項１又は２に記載の装置。
【請求項４】
周波数範囲において隣接する前記複数のディジタル・フィルタに相補的な遷移帯域が設けられ、全体の応答が一定で連続していることを特徴とする請求項２又は３に記載の装置。
【請求項５】
該ディジタル復号化回路（１０）に結合された一つ以上のディジタルからアナログへのコンバータ（１２）の出力が該第１の三重同軸ケーブルで搬送される電気信号の一つを表していることを特徴とする請求項１乃至３のいずれか１項に記載の装置。
【請求項６】
該ディジタル・フィルタは、該第１の三重同軸ケーブル（１）で搬送される電気信号が、ある連続した周波数範囲内にある限りその周波数に関わりなく該加算回路（１３）によって再現されるように設計されることを特徴とする請求項２及び３のいずれか１項又は４項又は５項に記載の装置。
【請求項７】
該ディジタル・フィルタが相補的となるように設計され、該フィルタの応答の和が動作周波数範囲にわたって一定になることを特徴とする請求項６に記載の装置。
【請求項８】
該装置が、一つ以上の該アナログからディジタルへのコンバータの振幅を調整してアンチエイリアス・フィルタ、アナログからディジタルへのコンバータ、又は駆動回路、増幅器、およびバッファーを含む関連回路、の利得のアンバランスを補償する自動校正回路を含むことを特徴とする請求項１乃至７のいずれか１項に記載の装置。
【請求項９】
該第１のアダプタが、該第１の光トランスジューサからの光信号を加算して光信号を単一光ファイバーで運ぶことができるようにする光結合器を含むことを特徴とする請求項１乃至８のいずれか１項に記載の装置。
【請求項１０】
該第２のアダプタは、該光ファイバーに結合され、合体された光信号を分割して該第２の光トランスジューサの各々に結合する波長分割多重化器（８）を含むことを特徴とする請求項９に記載の装置。
【請求項１１】
該第２の三重同軸ケーブル（９）によって搬送される第２の複数の電気信号を該第１の三重同軸ケーブル（１）に運ぶように設計されて、該第２の三重同軸ケーブルと第２の光ファイバー・ケーブルの間の第３のアダプタ及び該第２の光ファイバー・ケーブルと該第１の三重同軸ケーブルの間の第４のアダプタを含み、該第３のアダプタは請求項１，３，６，７，８，及び９のいずれか１項に記載の第１のアダプタのように設計され、該第４のアダプタは請求項１，２，４，５，６，７，及び１０のいずれか１項に記載の第２のアダプタのように設計され、該第一と第３のアダプタ及び該第二と第４のアダプタは同一の設計でなくてもよいことを特徴とする請求項１乃至１０のいずれか１項に記載の装置。
【請求項１２】
該第一と第３のアダプタのフィルタの周波数応答及びアナログからディジタルへのコンバータのサンプル・レートが異なり、該第二と第４のアダプタのフィルタの周波数応答及びディジタルからアナログへのコンバータのサンプル・レートが異なることを特徴とする請求項１１に記載の装置。
【請求項１３】
該第一と第４のアダプタ及び該第二と第３のアダプタが、それぞれ、該三重同軸ケーブル（１，１８）と光ファイバー・ケーブル（９）に結合された入力端と出力端が設けられた二つの異なるハウジング（１５，１６）に収められていることを特徴とする請求項１１又は１２に記載の装置。
【請求項１４】
該第一と第４のアダプタがカメラ制御ユニット（CCU）（１４）からの、及び、それへの電気信号を搬送する三重同軸ケーブル（１）に結合され、他方、該第二と第３のアダプタがテレビジョン・カメラ（１７）への、及び、それからの電気信号を搬送する三重同軸ケーブル（１８）に結合されていることを特徴とする請求項１１乃至１３のいずれか１項に記載の装置。
【請求項１５】
該光ファイバー・ケーブルが複数の光ファイバーと銅導体を含むハイブリッド・ケーブルであり、該第１のアダプタに該第１の三重同軸ケーブルによって送給されるパワー・ダイプレクサが設けられ、該ハイブリッド・ケーブルの先端及び／又は該第２の三重同軸ケーブルの先端に配置されたパワー供給デバイスへの銅導体にDC又はACパワーが流れることを可能にするように設計されることを特徴とする請求項１１乃至１４のいずれか１項に記載の装置。
【請求項１６】
該第一と第４のアダプタ及び該第二と第３のアダプタが、それぞれ、波長分割マルチプレクサ又は方向性結合器によって単一光ファイバーの端に結合されることを特徴とする請求項１１乃至１４のいずれか１項に記載の装置。
【国際調査報告】
2009506610.tif 000005
2009506610.tif 000006